(57)【要約】【課題】  本発明の指サックを使用中仮令指サック内で指に汗をかいても、指サックが該指サック内面と指との間で旋回することがないようにしたこと。【解決手段】  上端部が閉ざされた比較的軟質のゴム材からなる円筒状の指サック本体と、該本体の上部に穿かれた多数の窪みとよりなり、該窪みは大きさや形状が異なりかつ、その外郭を残してそれぞれが隣接するようになした上記指サック本体の内側の周面には一定間隔で多数の縦溝を形成してなる。【選択図】図５
2005053033.tif 000002
【特許請求の範囲】
【請求項１】
上端部が閉ざされた比較的軟質のゴム材からなる円筒状の指サック本体と、該本体の上部に穿かれた多数の窪みとよりなり、該窪みは大きさや形状が異なりかつ、その外郭を残してそれぞれが隣接するようになした上記指サック本体の内側の周面には一定間隔で多数の縦溝を形成したことを特徴とする指サック。
【請求項２】
請求項１における指サック本体は液状弾性材料の多層をなしていることを特徴とする指サック。
【発明の詳細な説明】
【技術分野】
【０００１】
この発明は紙、布、その他平坦物を捲る際などに用いられる、指サックの改良とその製造方法に関する。
【背景技術】
【０００２】
従来この種の指サックは図１に示すごとく、上端部が閉ざされた円筒状のサック本体（Ａ）の表面に規則的な配列の同一の大きさの凸部（Ｂ）が多数設けられている構造のものが主である。しかしこの種の凸部を設けた形状のもので、紙を捲ると、該凸部が紙面を滑って捲り難い欠点があり、この為強く紙面に指サックを押し当てた場合は、紙面が破れたりまた指サック自身も所謂「千切れる」欠点があった。
【０００３】
そこで本願発明者は、紙面が一枚づつ確実に捲れしかも紙面や指サック自身が千切れるような不祥事を未然に防止するような指サックを先に発明した。（特許文献１参照）
【０００４】
それは、指サック本体の上部に多数の窪みを設けたことである。この結果この指サック本体を紙面に押し当てた場合、丁度この窪みが蛸の吸盤と同様に紙面に吸着するので、一枚の紙のみを確実に捲ることができるのである。
【０００５】
また、この窪みは大きさや形状が異なり、かつその外郭を残してそれぞれが隣接するようにしたことも特徴で、その結果捲る紙面やその他の平坦物が表面に仮令凸凹があっても、確実にそれらに吸着する作用をなし、かつ次いでこの指サック本体を横方向に移動したときは、それぞれの窪みが外郭を残して隣接するようにしたから、上記の吸着作用が直開放されその結果これらを使用することにより、スムーズに紙などの平坦物を迅速に捲ることができたのである。
【０００６】
さらに上記指サック本体は、略指の形状をなした適当な型に液体弾性材料を順次間欠的に流し込み、多層をなすようにしたこともその特徴である。この結果、指サック本体は引張り力
［捲り作用］が強靱でサック本体自身が裂ける虞もないものとなるのである。
【０００７】
ただこの指サック本体を比較的長い時間指に嵌め込んで使用していると、人にもよるが、指が指サック本体内で汗をかき、この為当該指サック本体が指を中心に旋回することがあり、この為スムーズな紙の捲りが出来ないことがあった。
【特許文献１】特開２０００−２５５１８２号公報（全文）
【発明の開示】
【発明が解決しようとする課題】
【０００８】
そこで本発明の目的は、本発明の指サックを使用中仮令指サック内で指に汗をかいても、指サックが該指サック内面と指との間で旋回することがないようにしたことである。
【課題を解決するための手段】
【０００９】
而して本発明の特徴は、上端部が閉ざされた比較的軟質のゴム材からなる円筒状の指サック本体と、該本体の上部に穿かれた多数の窪みとよりなり、該窪みは大きさや形状が異なりかつ、その外郭を残してそれぞれが隣接するようになした、上記指サック本体の内側の周面には一定間隔で多数の縦溝を形成したものであって、特に上記指サック本体の内側の周面には一定間隔で多数の縦溝を形成させたことである。
【発明の効果】
【００１０】
この結果、使用者が紙を捲る作業の最中にあって、指を指サック本体の縦溝で摩擦が生じ指を中心として指サック本体が廻る作動を阻止するから、上記紙を捲る作業がスムーズになし得るというものである。
【００１１】
また、仮令当該指サック本体を嵌め込んだ指に汗をかいても、この汗は上記縦溝の所存で該縦溝を伝わり、指サック本体外に飛散させたり、蒸発させたりする事が出来たのである。
【実施例１】
【００１２】
本発明の一実施例は図２に示した。即ち（１）は、上端部が閉ざされた弾性材料（Ｃ）［以下その一例としてラテックスと呼ぶ］からなる指サック本体で、その上部に多数の窪み（２）が穿たれている。この窪み（２）は図３の拡大図にみられるように大きさや形状が異なりかつその外郭（３）部分を残して、それぞれが隣接するようになっている。この場合窪み（２）の深さもそれぞれ多数異なったものとすることが好ましい。また図５で（４）は指サック本体（１）の内周面に等間隔で多数形成させた縦溝である。
【００１３】
而して本実施例では、指サック本体（１）の上部に多数の窪み（２）を設けたものであるから、この指サック本体（１）を紙面に押し当てた場合、丁度この窪みが蛸の吸盤と同様に紙面に吸着するので、一枚の紙のみを確実に捲ることができ、かつこの窪み（２）は大きさや形状が異なり、かつその外郭（３）を残してそれぞれが隣接するようにしたから、捲る紙面やその他の平坦物が表面に仮令凸凹があっても、確実にそれらに吸着する作用でスムーズに紙などの平坦物を迅速に捲ることができたのである。
【００１４】
さらにこの実施例の指サック本体（１）は、その内面に等間隔で多数の縦溝（４）を形成させたから、この指サック本体（１）を指に嵌め込んで紙などを捲る作業の最中にあって、指に汗などをかき、該指を中心に指サック本体（１）が廻り紙などの捲り作業に支障を招くような作用が働いても、指に上記縦溝（４）との摩擦によってその回転運動が阻止されるので、紙などの捲り作業がスムーズなものとなったのである。  
【００１５】
また、仮令指サック本体（１）を嵌め込んだ指に汗をあきても、該汗は上記縦溝（４）に導かれ、指サック本体（１）外に飛散、あるいは蒸発することになるから、長時間の使用にも充分対処できる指サック本体（１）を提供できたのである。
【００１６】
また、上記指サック本体（１）は、液体弾性材料（Ｃ）［ラテックス］の多層をなすようにしたことから、引張り力［捲り作用］が強靱でサック本体自身が裂ける虞もないものとなるのである。
【００１７】
続いて本発明指サックの製造方法は、人の指と略同型で表面に型の窪みをもった型に弾性材料を塗布または附着させる工程を複数回行い乾燥後これを反転させるだけの、簡単なもので多量に容易に製造できるのである。
【図面の簡単な説明】
【００１８】
【図１】従来の指サック全体の正面図
【図２】本発明の指サックの正面図
【図３】図２のサークル（イ）部分の拡大表面図
【図４】図２のＹ−Ｙ線断面拡大図
【図５】本発明の指サックの縦断面図
【図６】図５のＸ−Ｘ線断面拡大図
【符号の説明】
【００１９】
Ａ  円筒状のサック本体
Ｂ  凸部
Ｃ  弾性材料
１  指サック本体
２  窪み
３  外郭
４  縦溝
【図１】
2005053033.tif 000003
【図２】
2005053033.tif 000004
【図３】
2005053033.tif 000005
【図４】
2005053033.tif 000006
【図５】
2005053033.tif 000007
【図６】
2005053033.tif 000008